(57)【要約】【課題】ユーザが拡大基準点を容易に把握でき、ユーザが拡大基準点を誤解することにより生じる失敗コピーや失敗ファクシミリ送信等を防止することを可能とする画像読取装置を提供すること。また、表面と裏面の拡大基準点を個別に設定可能とすることによりユーザが意図する拡大処理を的確に行うことを可能とする画像読取装置を提供すること。【解決手段】原稿の両面の画像を読取る両面画像読取手段と、読取った画像を拡大する読取画像拡大手段と、を備えた画像読取装置において、読取った原稿の両面の画像を拡大する場合に、当該両面の画像をそれぞれ表示する表示手段１１、１５と、表示された原稿の両面の画像１６ａ、１６ｂの特定の位置をそれぞれ指定する指定手段１８、１９と、を備え、前記読取画像拡大手段は、前記指定手段１８、１９によりそれぞれ指定された前記位置を表裏各面の画像の拡大基準点として拡大処理を行う。【選択図】図２
2005203851.tif 000002
【特許請求の範囲】
【請求項１】
原稿の両面の画像を読取る両面画像読取手段と、読取った画像を拡大する読取画像拡大手段と、を備えた画像読取装置において、読取った原稿の両面の画像を拡大する場合に、当該両面の画像をそれぞれ表示する表示手段と、表示された原稿の両面の画像の特定の位置をそれぞれ指定する指定手段と、を備え、前記読取画像拡大手段は、前記指定手段によりそれぞれ指定された前記位置を表裏各面の画像の拡大基準点として拡大処理を行う、ことを特徴とする画像読取装置。
【請求項２】
前記表示手段は、更に、前記原稿の両面の画像上にそれぞれポインタを表示するものであり、前記指定手段により指定される前記特定の位置は、前記ポインタが配置されることによって指定されるものであることを特徴とする請求項１記載の画像読取装置。
【請求項３】
前記読取画像拡大手段は、前記指定手段による指定がなされなかった場合に、デフォルト設定の拡大基準点を採用して拡大処理を行うことを特徴とする請求項１又は２記載の画像読取装置。
【発明の詳細な説明】
【技術分野】
【０００１】
本発明は、読取画像の拡大処理機能を備えた画像読取装置に関し、詳しくは、読取画像の拡大中心点である拡大基準点を設定する機能を備えた画像読取装置に関する。
【背景技術】
【０００２】
読取画像の拡大処理機能を備えた画像読取装置が、読取画像を拡大処理する場合、原寸大の読取画像に対して、ある決まった位置（以下この位置を「拡大基準点」という。）を中心に拡大処理を施すようになっている。拡大基準点は、各機種毎に決められているものであるが、一般的には、原稿載置ガラス面のユーザから見て左手奥側の隅部、ＡＤＦ（自動原稿送給装置）を利用する場合にあっては、原稿送給方向の先端部のユーザから見て奥側の隅部とされている。例えばＡ３サイズまでの拡大コピーに対応した複写機においてＡ４サイズの原稿をＡ３サイズに拡大する場合は、拡大しても原稿に記載された情報は、全て拡大後の画像に収まるので問題とはならないものの、用紙サイズを変更せずに拡大処理する場合、例えばＡ３サイズの原稿上の記載情報を同じ原稿サイズであるＡ３サイズの用紙に拡大して複写する場合には、拡大基準点から遠い部分の記載情報は用紙に収まらず省かれてしまう。このため、ユーザは、原稿と同サイズの用紙に拡大複写する場合に拡大基準点を考慮に入れて原稿をセットしなければならない。勿論、このことは原稿の拡大コピーに限らず、原稿を拡大してファクシミリ送信等する場合にもいえることである。
【０００３】
近年、１パス両面読取機能（２個の画像読取センサをＡＤＦにより送給される原稿の表裏各面側にそれぞれ配置して、スイッチバック（反転）をせずに同時に原稿の両面の画像を読取る機能）やＡＤＦにより送給された原稿をスイッチバックして１個の読取センサで両面の画像を読取る機能によって、原稿の両面の画像を読取ることができる画像読取装置が普及しており、更にこれに画像拡大機能が備わったものも多数市販されている。
【０００４】
ところが、上記両面画像読取機能及び画像拡大機能を備えた画像読取装置によって原稿の両面の拡大画像を読取る場合、ユーザにとって、セットする原稿のどの部分が拡大基準点になるのか分かり難くいという問題があった。すなわち、片面原稿の拡大処理を行う場合は、前述したように、ユーザは、原稿載置ガラス面のユーザから見て左手奥側の隅部や、原稿送給方向の先端部のユーザから見て奥側の隅部が拡大基準点であることを把握して所望の拡大処理を確実に行うことができるものの、両面画像読取機能を利用して原稿の両面の画像の拡大処理を行う場合は、表裏各面の拡大基準点がどこになるのかを別々に覚えておく必要があり、拡大基準点を勘違いして拡大コピー等を行えば、ユーザの意図しない部分が拡大され、本来拡大したい部分が処理後の原稿サイズからはみ出して印刷等されないとう不都合が生じる。両面画像読取機能を利用して原稿の両面の拡大処理を頻繁に行うユーザであれば表裏各面に決められた拡大基準点を次第に覚え、そのような問題は自然に解消されることもあるが、年に１、２回しか原稿の両面拡大機能を利用しないユーザにとっては、その都度取扱い説明書等を参照して拡大基準点がどこかを調べた上で装置を使用するか、試行錯誤を繰り返す必要があり、当該機能を利用するに際して、余計な手間を強いられるとともに、試行錯誤の結果コピー用紙が無駄に消費されるという問題があった。
【０００５】
また、ユーザが表面と裏面の拡大基準点がどこになるのか把握していても、従来の両面画像読取機能及び画像拡大機能を備えた画像読取装置では、拡大基準点は特定の位置に決められているために、原稿の両面を拡大処理する際にユーザの意図する拡大処理ができないことがある。すなわち、片面原稿の場合は、原稿を９０度ずつ回転させて拡大したい部分を拡大基準点近くに配置することは可能であるが、表面の拡大したい部分と裏面の拡大したい部分が必ずしも一致するとは限らず、そのような場合は、片面ずつ拡大操作をしなければならない。
【０００６】
なお、特許文献１、２には、原稿自体ないしは原稿の読取画像に対して、拡大基準点とはいえないものの、何らかの基準点を画面に表示したうえで設定する技術が開示されている。特許文献１に開示されている技術は、スキャナーの最大読取範囲に収まらないような大型原稿の画像を複数に分割して読取り、各々読取った分割画像同士の接続位置を基準点として設定するものである。特許文献２に開示されている技術は、同文献第５図に示されるように、プリスキャンされた画像（１１）のうち、トリミング枠（１２）を設定するための基準点（１１）を入力操作によって設定するものである。
【特許文献１】特開平６−３６００９号公報
【特許文献２】特開平１０−１９０９７１号公報
【発明の開示】
【発明が解決しようとする課題】
【０００７】
本発明は、上記した課題に鑑みてなされたものであり、原稿の両面の画像を読取る両面読取機能と、読取った画像を拡大する読取画像拡大機能とを備えた画像読取装置において、ユーザが拡大基準点を容易に把握でき、ユーザが拡大基準点を誤解することにより生じる失敗コピーや失敗ファクシミリ送信等を防止することを可能とする画像読取装置を提供することを目的とする。また、表面と裏面の拡大基準点を個別に設定可能とすることによりユーザが意図する拡大処理を的確に行うことを可能とする画像読取装置を提供することをも目的とする。
【課題を解決するための手段】
【０００８】
上記目的を達成するために、請求項１記載の画像読取装置は、原稿の両面の画像を読取る両面画像読取手段と、読取った画像を拡大する読取画像拡大手段と、を備えた画像読取装置において、読取った原稿の両面の画像を拡大する場合に、当該両面の画像をそれぞれ表示する表示手段と、表示された原稿の両面の画像の特定の位置をそれぞれ指定する指定手段と、を備え、前記読取画像拡大手段は、前記指定手段によりそれぞれ指定された前記位置を表裏各面の画像の拡大基準点として拡大処理を行う、ことを特徴としている。
【０００９】
請求項２記載の画像読取装置は、請求項１記載の画像読取装置において、前記表示手段は、更に、前記原稿の両面の画像上にそれぞれポインタを表示するものであり、前記指定手段により指定される前記特定の位置は、前記ポインタが配置されることによって指定されるものであることを特徴としている。
【００１０】
請求項３記載の画像読取装置は、請求項１又は２記載の画像読取装置において、前記読取画像拡大手段は、前記指定手段による指定がなされなかった場合に、デフォルト設定の拡大基準点を採用して拡大処理を行うことを特徴としている。
【発明の効果】
【００１１】
請求項１記載の画像読取装置によれば、ユーザは、表裏各面の原稿の内容を参照しながら拡大基準点を指定することができるので、原稿に対する拡大基準点を容易に把握することができる。またこれにより、ユーザは原稿の向きを気にすることなく気楽に原稿をセットすることができる。さらに、原稿の表裏各面に対して個別に拡大基準点を設定できるので、従来のように両面原稿の各面ごと別個に拡大処理を行う必要がなくなり、利便性が格段に向上する。
【００１２】
請求項２記載の画像読取装置によれば、表示された原稿の画像上にポインタが表示され、ポインタを配置することによって拡大基準点を指定するものであるので、拡大基準点と原稿との位置対応関係が視覚的に一層明確になり、拡大基準点の指定をより的確に行うことが可能となる。
【００１３】
請求項３記載の画像読取装置によれば、前記利点が得られるとともに、ユーザは、拡大基準点の操作を省略しても拡大処理を行うことができる。例えば、本画像読取装置を用いて頻繁に原稿の両面の拡大画像読取処理を行うユーザは、デフォルトの拡大基準点を覚えていることが多いので、それを考慮して原稿をセットすることができるので、そのようなユーザにとっては、操作の簡略化が図られるという利点がある。
【発明を実施するための最良の形態】
【００１４】
以下本発明の実施の形態に係る画像読取装置について図面に基づき説明する。本発明の実施の形態では、複写機に適用された画像読取装置を例に挙げて説明するが、勿論、本発明の画像読取装置は、これに限らず、ファクシミリ装置、複合機など原稿の画像の読取を必要とする種々の装置に適用することができる。
【００１５】
図１に本発明の実施の形態に係る画像読取装置１の構成例を示す。すなわち、画像読取装置１は、ＣＰＵ（中央処理装置）２、ＲＯＭ（リードオンリーメモリー）３、ＲＡＭ（ランダムアクセスメモリー）４、ページメモリ５、画像メモリ６、コーデック（ＣＯＤＥＣ）７、読取部８、入力色変換回路９、出力色変換回路１０、表示部１１、操作部１２及び記録部１３を備えたものであって、各部２乃至１３はバス１４によって接続されている。
【００１６】
ＣＰＵ２は、ＲＯＭ３に格納された制御プログラムに従って、この画像読取装置１を構成する各部を制御する制御手段として機能する。ＲＡＭ４は、ＣＰＵ２の主メモリ、ワークエリア等として機能する。又、ＲＡＭ４には、デフォルト設定の表及び裏面用の拡大基準点が記憶されており、この拡大基準点は操作部１２からの操作により自由に変更可能とｊなっている。ページメモリ５は、読取部６で読み取られた画像データを一時的に記憶する。画像メモリ６は、ページメモリ５内の画像データがコーデック７によって圧縮符号化された画像データ等を蓄積する。コーデック７は、ページメモリ５に一時的に記憶された画像データを所定方式にしたがって符号化又は復号処理を行う。
【００１７】
読取部８は、ＣＣＤカラーラインセンサ、Ａ／Ｄコンバータ、画像処理回路等を具備し、ＣＣＤカラーラインセンサにより原稿を読取って、Ａ／Ｄ変換及び、シェーディング補正、ずれ／ライン補正等の画像処理を施したＲＧＢ表色系のカラー画像データを生成し、これを入力色変換回路９へ出力する。また、読取部８は、ＡＤＦ（原稿自動送給装置）と原稿の両面の画像を読取る両面画像読取手段としての１パス両面読取機能を備える。入力色変換回路９は、読取部８から出力されたＲＧＢ表色系のカラー画像データをＹＣｒＣｂ表色系のカラー画像データ又はＬ*ａ*ｂ*表色系のカラー画像データに変換し、デフォルト設定の拡大基準点又はユーザにより表示部１１の画面上で指定された拡大基準点に基づいて拡大処理を行い、さらに、地色補正等の画像処理を施す。また、入力色変換回路９には、多値メモリコントローラ（不図示）が実装されており、ＣＰＵ２の命令に従って多値メモリコントローラは、前記表色系に変換されたカラー画像データをページメモリ５の多値領域に張り付けたり、ページメモリ５の多値領域に張り付けたカラー画像データをコーデック７、出力色変換回路１０又は、コーデック７を介さずに画像メモリ６へ出力する。
【００１８】
出力色変換回路１０は、入力色変換回路９が出力したＬ*ａ*ｂ*表色系のカラー画像データに対して各成分１ビットのＣＭＹＫ表色系に変換して二値化処理を行う。また、出力色変換回路１０には、二値メモリコントローラ（不図示）が実装されており、ＣＰＵ２の命令に従って二値メモリコントローラは、前記二値化された画像データをページメモリ５の二値領域に張り付けたり、ページメモリ５の二値領域に張り付けた画像データをコーデック７又は、コーデック７を介さずに画像メモリ６へ出力する。
【００１９】
表示部１１は、例えば操作部１２に並設されたタッチパネルからなり、後述する選択オペレーション画面など、種々の情報を表示する表示手段として機能する。操作部１２は、ユーザが情報を入力する入力キーなどを具備し、ユーザによる各種の操作は、この操作部１２又は前記タッチパネル式の表示部１１において行われる。勿論、表示部１１をタッチパネル式ではなく単なるＬＣＤ（Ｌｉｑｕｉｄ  Ｃｒｙｓｔａｌ  Ｄｉｓｐｌａｙ）とし、ユーザによる入力操作を全て操作部１２から行うようにしてもよい。
【００２０】
画像読取装置１は、上記した構成を備えることにより、読取部８で読取った原稿の原寸大画像を拡大して記録部１３で印刷する複写機能、或いは、拡大された画像を画像メモリ６に蓄積する機能などを有する。そして、画像読取装置１は、そのように、原稿の読取画像を拡大する際に、拡大基準点の設定の指定をユーザに行わせるための選択オペレーション画面を表示部１１に表示する。
【００２１】
以下、選択オペレーション画面が表示され、拡大基準点が指定されるに際して、実行される画像読取装置１の処理動作について、図２に例示する選択オペレーション画面１５の説明図と、図３に示すフローチャートに基づいて行う。なお、このフローチャートに基づいて説明する画像読取装置１の処理動作は、ＲＯＭ４に格納された制御プログラムに基づき制御手段であるＣＰＵ２が発行する命令に従って行われる。
【００２２】
先ず最初に、ユーザによって、読取部８のＡＤＦに原稿がセットされ、操作部１２を通じて原稿の表裏各面の拡大画像の生成を必要とする処理、例えば原稿の両面を拡大して複写する処理が指定されると、セットされた原稿の両面の画像が読取られて、例えば図２（ａ）に示すように、拡大基準点選択オペレーション画面１５が表示部１１に表示される（Ｓ１）。この画面１５は、読取った原稿の片面又は両面の画像を拡大する場合に表示されるものであって（図示は読取原稿の両面の画像を表示している。）、図示するように、当該読取原稿の表裏各面の画像１６ａ、１６ｂ（片面のみを拡大する場合にあっては片面の画像１６ａ又は１６ｂ）と、各原稿の４隅部に配された白丸１７若しくは黒丸１８（ポインタ１８）とを表示するとともに、前記ポインタ１８を移動させるための移動ボタン１９と、ポインタ１８の配置された位置を確定するための確定ボタン２０と、ユーザが表面と裏面を識別できるように表示される識別表記２１とを原稿の表裏各画像１６ａ、１６ｂ（片面のみを拡大する場合にあっては片面の画像１６ａ又は１６ｂ）に対応させて表示する。また、拡大基準点の選択オペレーションを終了するための取消ボタン２２も表示される。したがって、ユーザは、ボタン１９、２０の操作を行うことにより、拡大基準点を原稿の４隅部から選択指定することができ、しかも、それを表面と裏面で個別に指定することができる。なお、上記ボタン１９乃至２２の操作は、タッチパネル操作により行うことができるが、タッチパネルを採用しない場合は、上記ボタン１９乃至２２を機械式キーに置き換えて操作部１２の一部を構成するものとしてもよい。なお、白丸１７はユーザに選択可能箇所を分かりやすく示すために表示されるものであるが、これを省略してポインタ１８のみを表示するようにしてもよい。また、ポインタ１８は、表示された読取原稿の画像上の特定位置を指し示すものであればよく、その形態は図示するような黒丸に限定されない。
【００２３】
ユーザにより、取消ボタン２２以外のボタンが操作されるとオペレーションが確定したものと判断され（Ｓ２）、原稿の表面を拡大する場合には（Ｓ３：ＹＥＳ）、原稿の表面側の移動ボタン１９及び確定ボタン２０が押されることにより、原稿の表面側の拡大基準点が選択指定されると（Ｓ４：ＹＥＳ）、表面の拡大基準点は、選択指定された位置、つまり、選択オペレーション画面１５で、表面の画像１６ａの四隅のうち、ポインタ１８（黒丸１８）が配置された位置が拡大基準点に設定される（Ｓ５）。一方、原稿の表面側の移動ボタン１９が押されずに確定ボタン２０のみが押された場合は（Ｓ４：ＮＯ）、ＲＡＭ４に記憶されているデフォルト設定の表面用拡大基準点が読み出され、これが表面の拡大基準点として採用される（Ｓ６）。なお、本実施の形態においては、デフォルト設定は表示されている原稿の左上に設定されており、ポインタ１８の表示もそれに対応している。
【００２４】
続いて、原稿の裏面を拡大する場合には（Ｓ７：ＹＥＳ）、ユーザにより、例えば図２（ｂ）に示すように、原稿の裏面側の移動ボタン１９及び確定ボタン２０が押されることにより、原稿の裏面側の拡大基準点が選択指定されると（Ｓ８：ＹＥＳ）、裏面の拡大基準点は、選択指定された位置、つまり、選択オペレーション画面１５で、裏面の画像１６ａの四隅のうち、ポインタ１８（黒丸１８）が配置された位置が拡大基準点に設定され（Ｓ９）、当該拡大基準点を中心とした拡大処理が行われる。一方、原稿の裏面側の移動ボタン１９が押されずに確定ボタン２０のみが押された場合は（Ｓ８：ＮＯ）、ＲＡＭ４に記憶されているデフォルト設定の裏面用拡大基準点が読み出され、これが裏面の拡大基準点として採用され（Ｓ１０）、当該拡大基準点を中心とした拡大処理が行われる。なお、本実施の形態においては、デフォルト設定は表示されている原稿の左上に設定されており、ポインタ１８の表示もそれに対応している。
【００２５】
前記Ｓ１で表示された選択オペレーション画面１５上で、最初に取消ボタン２２が押された場合には、拡大基準点選択オペレーションは確定されたなかったと判断され（Ｓ２：ＮＯ）、表示されている拡大基準点選択オペレーション画面１５を閉じて（Ｓ１１）、ＲＡＭ４よりデフォルト設定の表裏各面の拡大基準点を読み出しこれを拡大基準点として採用する（Ｓ１２）。
【００２６】
以上の説明から明らかなように画像読取装置１によれば、拡大基準点を指定するに際して、表示された原稿を参照しながら、拡大したい部分が所定の用紙サイズに収まるように選択することができる。例えば、図２に示すように、原稿の表面に記載されている「Ａ」、「Ｂ」、「Ｃ」、「Ｄ」からなる文字のうち「Ｄ」の部分を拡大したい場合は、右下隅部を拡大基準点に指定すれば、「Ａ」、「Ｂ」、「Ｃ」は用紙サイズからはみ出して印刷等ができないものの、ユーザが必要とする「Ｄ」の部分については用紙サイズからはみ出さずに適切に拡大処理が行われる。また、原稿の表裏各面に対して個別に拡大基準点を設定できるので、より一層柔軟な運用が可能となる。
【００２７】
なお、本実施の形態においては、拡大基準点を原稿の画像の４隅部から選択指定するようになっているが、拡大基準点の指定はこれに限定されず、その他の箇所に指定できるようにしてもよい。例えば、表示された原稿の両面の画像上にそれぞれポインタ１８（黒丸１８）のみを表示し、移動ボタン１９の代わりに、ポインタ１８を任意の場所に移動させるカーソルを設けて、原稿の表裏各画像上の任意の場所を指定するようにしてもよい。そうすれば、原稿の拡大したい任意の部分を中心にして拡大することができ、より一層ユーザの意図に則した拡大処理を行うことが可能となる。
【００２８】
また、本実施の形態においては、拡大基準点は表示されたポインタが配置されることによって指定されるようになっているが、拡大基準点の位置の指定は、ポインタを配置することによるものに限定されなくてもよい。例えば、白丸及び黒丸（ポインタ）の表示を行わずに、前記移動ボタン１９を表示された原稿の４隅部を指定するためのボタンとして使用し、例えば「右下」ボタン等が押され、確定ボタン２０が押された場合に、表示されている原稿の画像の右下隅部等が拡大基準点として指定されるようにしてもよい。
【産業上の利用可能性】
【００２９】
本発明は、例えば、読取画像の拡大処理機能及び両面印刷機能を備えた画像読取装置に適用することができる。
【図面の簡単な説明】
【００３０】
【図１】本発明の実施の形態に係る画像読取装置の構成例を示した図である。
【図２】選択オペレーション画面を例示した図である。
【図３】本発明の実施の形態に係る画像読取装置において、選択オペレーション画面が表示され、拡大基準点が指定される際に実行される画像読取装置の処理動作を示したフローチャートである。
【符号の説明】
【００３１】
１    画像読取装置
２    ＣＰＵ
３    ＲＯＭ
４    ＲＡＭ
８    読取部
１１    表示部
１６ａ、１６ｂ    読取原稿の画像
１８    ポインタ
【図１】
2005203851.tif 000003
【図２】
2005203851.tif 000004
【図３】
2005203851.tif 000005